(57)【要約】【課題】  引出部材と共に可動支持脚が引出端位置まで引き出されたときに、可動支持脚を引出端位置に位置決めしてロックする引出端ロック機構のロック動作に連動して姿勢ロック機構のロック解除を行うことができる車両用引出装置を提する。【解決手段】  可動支持脚５０と引出部材４１との間には、引出部材４１を出入姿勢に係脱可能にロックする姿勢ロック機構１１０が配設される。収納ケース体１０と可動支持脚５０との間には、引出部材４１と共に可動支持脚５０が引出端位置まで引き出されたときに、可動支持脚５０を引出端位置にロックする引出端ロック機構１２０が配設される。姿勢ロック機構１１０と引出端ロック機構１２０との間には、引出端ロック機構１２０のロック動作に連動して姿勢ロック機構１１０をロック解除するロック解除用連動機構１４０が設けられている。【選択図】        図７
2007176243.tif 000002
【特許請求の範囲】
【請求項１】
収納ケース体の収納空間に対し、同収納空間の内壁部に沿って移動可能に装着された可動支持脚と、前記可動支持脚の上端部に回動可能に支持され、かつ前記可動支持脚と共に出し入れされるときには前記可動支持脚の一側面に沿って延びる出入姿勢に保持され、引出端位置では出入姿勢から所定角度だけ回動されて使用位置に配置切換される引出部材とが出し入れ可能に収納された車両用引出装置であって、
前記可動支持脚と前記引出部材との間には、前記引出部材を出入姿勢に係脱可能にロックする姿勢ロック機構が配設され、
前記収納ケース体と前記可動支持脚との間には、前記引出部材と共に前記可動支持脚が引出端位置まで引き出されたときに、前記可動支持脚を引出端位置にロックする引出端ロック機構が配設され、
前記姿勢ロック機構と前記引出端ロック機構との間には、前記引出端ロック機構のロック動作に連動して前記姿勢ロック機構をロック解除するロック解除用連動機構が設けられていることを特徴とする車両用引出装置。
【請求項２】
請求項１に記載の車両用引出装置であって、
姿勢ロック機構は、可動支持脚にロック並びにロック解除方向に移動可能に設けられかつ引出部材の係合部に係脱可能に係合するロック部を有する姿勢ロック部材と、
前記姿勢ロック部材を前記係合部に係合するロック方向に付勢する付勢手段とを備え、  引出端ロック機構は、収納ケース体の収納空間の出入口近傍に進退可能に設けられて前記可動支持脚に形成されたロック孔に脱抜可能に嵌挿される引出端ロックピンと、
前記引出端ロックピンを前記ロック孔に嵌挿されるロック方向に付勢する付勢手段とを備え、
前記姿勢ロック部材と、前記引出端ロックピンとの間には、前記引出部材と共に前記可動支持脚が引出端位置まで引き出されて前記引出端ロックピンがロック孔に嵌挿される動作によって前記姿勢ロック部材をロック解除方向に移動させるロック解除用連動機構が設けられていることを特徴とする車両用引出装置。
【請求項３】
請求項２に記載の車両用引出装置であって、
ロック解除用連動機構は、ロック孔に嵌挿される連動ピンを備え、引出部材と共に可動支持脚が引出端位置まで引き出されて引出端ロックピンがロック孔に嵌挿されたときには前記引出端ロックピンが前記連動ピンの一端面に当接した状態で、前記引出端ロックピンと共に前記連動ピンが前進される動作によって姿勢ロック部材をロック解除方向に移動させると共に、前記連動ピンの先端面が前記引出部材の一側面に当接し、
その後、前記引出部材が使用位置に向けて回動されることで、前記連動ピンを押し出しながら前記引出端ロックピンが前記ロック孔に深く嵌挿される構成にしてあることを特徴とする車両用引出装置。
【発明の詳細な説明】
【技術分野】
【０００１】
この発明は車両用引出装置に関する。
【背景技術】
【０００２】
車両用引出装置としては、例えば、引出式の車両用テーブル装置、引出式の車両用カップホルダ装置、カーナビゲーション用の引出式の車両用表示装置（液晶パネル）等が知られている。
このような車両用引出装置において、収納ケース体の収納空間の出入口から引出部材（テーブル板、カップ保持体、液晶パネル等）が所定の引出端位置まで引き出されることで使用可能となり、また、引出部材を使用しないときには収納空間内に収納されるようになっているのが一般的である。
また、引出式の車両用テーブル装置としては、例えば、特許文献１に開示されたものが知られている。
また、収納ケース体の収納空間に対し、同収納空間の内壁部に沿って移動可能に装着された可動支持脚と、この可動支持脚の上端部に回動可能に支持された引出部材とを出し入れ可能に収納した車両用引出装置を構成した場合、引出部材を可動支持脚と共に出し入れする時には、可動支持脚に対し引出部材が不測に回動すると、出し入れ操作が厄介となる。このため、可動支持脚と引出部材との間には、引出部材を可動支持脚の一側面に沿って延びる出入姿勢に係脱可能にロックする姿勢ロック機構を配設することが望ましい。
また、引出部材と共に可動支持脚を引出端位置まで引き出して、可動支持脚の上端部に対し引出部材を所定角度だけ回動して使用位置に配置切換する際、引出部材と共に可動支持脚が不測に押し込まれる場合がある。このため、収納ケース体と可動支持脚との間には、引出部材と共に可動支持脚が引出端位置まで引き出されたときに、可動支持脚を引出端位置にロックする引出端ロック機構を配設することが望ましい。
【特許文献１】特開平１０−２６４７０４号公報
【発明の開示】
【発明が解決しようとする課題】
【０００３】
ところで、可動支持脚と引出部材との間に、引出部材を可動支持脚の一側面に沿って延びる出入姿勢に係脱可能にロックする姿勢ロック機構を配設し、収納ケース体と可動支持脚との間に、引出部材と共に可動支持脚が引出端位置まで引き出されたときに、可動支持脚を引出端位置にロックする引出端ロック機構を配設した場合、引出部材と共に可動支持脚が引出端位置まで引き出して引出端ロック機構によってロックした状態において、引出部材を使用位置に向けて回動操作する前に、姿勢ロック機構のロック解除を手動操作によって行わなければならず、その操作が厄介で使い勝手が悪くなる。
【０００４】
この発明の目的は、前記問題点に鑑み、引出部材と共に可動支持脚が引出端位置まで引き出されたときに、可動支持脚を引出端位置に位置決めしてロックする引出端ロック機構のロック動作に連動して姿勢ロック機構のロック解除を行うことができる車両用引出装置を提供することである。
【課題を解決するための手段】
【０００５】
前記目的を達成するために、この発明の請求項１に係る車両用引出装置は、収納ケース体の収納空間に対し、同収納空間の内壁部に沿って移動可能に装着された可動支持脚と、前記可動支持脚の上端部に回動可能に支持され、かつ前記可動支持脚と共に出し入れされるときには前記可動支持脚の一側面に沿って延びる出入姿勢に保持され、引出端位置では出入姿勢から所定角度だけ回動されて使用位置に配置切換される引出部材とが出し入れ可能に収納された車両用引出装置であって、
前記可動支持脚と前記引出部材との間には、前記引出部材を出入姿勢に係脱可能にロックする姿勢ロック機構が配設され、
前記収納ケース体と前記可動支持脚との間には、前記引出部材と共に前記可動支持脚が引出端位置まで引き出されたときに、前記可動支持脚を引出端位置にロックする引出端ロック機構が配設され、
前記姿勢ロック機構と引出端ロック機構との間には、この前記引出端ロック機構のロック動作に連動して前記姿勢ロック機構をロック解除するロック解除用連動機構が設けられていることを特徴とする。
【０００６】
前記構成において、収納ケース体の収納空間に収納された引出部材を使用する場合、引出部材が姿勢ロック機構によって出入姿勢にロックされた状態で、引出部材と共に可動支持脚が引出端位置まで引き出されると、可動支持脚が引出端ロック機構によって引出端位置に位置決めされてロックされる。この際、引出端ロック機構によるロック動作に連動してロック解除用連動機構が作動され、これによって、姿勢ロック機構がロック解除される。
引き続いて、引出部材が引出端位置から所定角度だけ回動されて使用位置に配置切換されることで、引出部材が使用可能となる。
前記したようにして、可動支持脚を引出端位置に位置決めしてロックする引出端ロック機構のロック動作に連動して姿勢ロック機構のロック解除を行うことができるため、引出部材を使用位置に向けて回動操作する前に、姿勢ロック機構のロック解除を手動操作によって行う手間を省くことができ、使い勝手の向上を図ることができる。
【０００７】
請求項２に係る車両用引出装置は、請求項１に記載の車両用引出装置であって、
姿勢ロック機構は、可動支持脚にロック並びにロック解除方向に移動可能に設けられかつ引出部材の係合部に係脱可能に係合するロック部を有する姿勢ロック部材と、
前記姿勢ロック部材を前記係合部に係合するロック方向に付勢する付勢手段とを備え、  引出端ロック機構は、収納ケース体の収納空間の出入口近傍に進退可能に設けられて前記可動支持脚に形成されたロック孔に脱抜可能に嵌挿される引出端ロックピンと、
前記引出端ロックピンを前記ロック孔に嵌挿されるロック方向に付勢する付勢手段とを備え、
前記姿勢ロック部材と、前記引出端ロックピンとの間には、前記引出部材と共に前記可動支持脚が引出端位置まで引き出されて前記引出端ロックピンがロック孔に嵌挿される動作によって前記姿勢ロック部材をロック解除方向に移動させるロック解除用連動機構が設けられていることを特徴とする。
【０００８】
前記構成において、引出部材が収納ケース体の収納空間に収納される収納位置から引出端位置まで引き出される間においては、姿勢ロック機構の付勢手段の付勢力によってロック方向に付勢された姿勢ロック部材が引出部材の係合部に係合し、これによって、引出部材が引出姿勢に保持される。
また、引出部材と共に可動支持脚が引出端位置まで引き出されると、引出端ロック機構の付勢手段の付勢力によって引出端ロックピンが可動支持脚のロック孔に嵌挿され、これによって可動支持脚が引出端位置にロックされる。
引出端ロックピンがロック孔に嵌挿されると、その動作に基づいてロック解除用連動機構が作動し、これによって、姿勢ロック機構の姿勢ロック部材がロック解除方向に移動されロック解除される。
このため、引出部材を使用位置に向けて回動操作する前に、姿勢ロック機構のロック解除を手動操作によって行う手間を省くことができ、使い勝手の向上を図ることができる。
【０００９】
請求項３に係る車両用引出装置は、請求項２に記載の車両用引出装置であって、
ロック解除用連動機構は、ロック孔に嵌挿される連動ピンを備え、引出部材と共に可動支持脚が引出端位置まで引き出されて引出端ロックピンがロック孔に嵌挿されたときには前記引出端ロックピンが前記連動ピンの一端面に当接した状態で、前記引出端ロックピンと共に前記連動ピンが前進される動作によって姿勢ロック部材をロック解除方向に移動させると共に、前記連動ピンの先端面が前記引出部材の一側面に当接し、
その後、前記引出部材が使用位置に向けて回動されることで、前記連動ピンを押し出しながら前記引出端ロックピンが前記ロック孔に深く嵌挿される構成にしてあることを特徴とする。
【００１０】
前記構成において、引出部材と共に可動支持脚が引出端位置まで引き出されて引出端ロックピンがロック孔に嵌挿されると、ロック解除用連動機構の連動ピンが引出端ロックピンによって前進され、これによって姿勢ロック部材がロック解除方向に移動されてロック解除されると共に、連動ピンの先端面が引出部材の一側面に当接する。
この状態において、引出部材が使用位置に向けて回動されると、連動ピンを押し出しながら引出端ロックピンがロック孔に深く嵌挿される。このため、引出端ロックピンとロック孔との係合力が増大され、これによって、可動支持脚が引出端位置に強固にロックされる。ひいては、可動支持脚が不測に押し込まれることを良好に防止することができ、使用位置に配置された引出部材を可動支持脚によって安定よく支持することができる。
【発明を実施するための最良の形態】
【００１１】
次に、この発明を実施するための最良の形態を実施例にしたがって説明する。
【実施例１】
【００１２】
図１はこの発明の実施例１の車両用引出装置としての車両用テーブル装置のテーブル板が収納された状態を示す斜視図である。図２は車両用テーブル装置の平断面図である。図３は図２のＩＩＩ−ＩＩＩ線に基づく車両用テーブル装置の側断面図である。図４は図２のＩＶ−ＩＶ線に基づく車両用テーブル装置の側断面図である。図５は図２のＶ−Ｖ線に基づく車両用テーブル装置の側断面図である。図６は可動カバー体の連動機構を分解して示す斜視図である。図７は収納ケース体のケース本体と可動支持脚及びテーブルベースによって支持されたテーブル板の関係を分離して示す斜視図である。図８は可動支持脚にテーブル板が姿勢ロック機構によって出入姿勢にロックされた状態を示す平断面図である。図９はテーブル板の可動支持脚が引出端位置に位置決めされてロックされた状態を示す平断面図である。図１０はテーブル板の可動支持脚が引出端位置の直前まで引き出されたときの引出端位置決めピンと位置決め孔との関係を示す側断面図である。図１１はテーブル板の可動支持脚が引出端位置まで引き出されたときの引出端位置決めピンと位置決め孔との嵌合状態を示す側断面図である。図１２はテーブル板の可動支持脚が引出端位置の直前まで引き出されたときの引出端ロックピンとロック孔との関係を示す側断面図である。図１３はテーブル板の可動支持脚が引出端位置まで引き出されたときの引出端ロックピンとロック孔との嵌合状態を示す側断面図である。図１４は引出端ロックピンの前進動作によって連動ピンが押し出されて姿勢ロック部材がロック解除された状態を示す図１３のＸＩＶ−ＸＩＶ線に基づく平断面図である。図１５は引出端位置のテーブル板が使用位置に向けて所定角度だけ回動された状態を示す側断面図である。図１６は引出端位置のテーブル板が使用位置に向けて所定角度だけ回動されたときの姿勢ロック部材、連動ピン及び引出端ロックピンの関係を示す図１５のＸＶＩ−ＸＶＩ線に基づく平断面である。図１７はテーブル板が使用位置に配置された状態を示す側断面図である。
【００１３】
図１〜図３に示すように、車両用引出装置としての車両用テーブル装置の本体部を構成する収納ケース体１０は、例えば、車室内のフロア上面に設置され、引出部材としてのテーブル板４１を出入可能に収納するための収納空間１１が上方に開口して形成されている。この実施例において、収納ケース体１０は、ケース本体１２と支持壁２０とを主体として構成され、収納空間１１の一側壁をなすケース本体１２の壁部１３と対向する反対側に支持壁２０が固定状態で設けられている。
また、図３に示すように、収納空間１１の一側壁をなす壁部１３の上端部の高さＨ１に対し、支持壁２０の上端の高さＨ２は、約半分〜３分の１程度低く設定されている。そして、支持壁２０の外側部には、収納空間１１の一側壁をなす壁部１３と反対側の壁を支持壁２０と協働して構成する可動カバー体３０がテーブル板４１の出し入れ方向と逆方向に移動可能に装着されている。すなわち、可動カバー体３０は、支持壁２０の高さＨ２を補いかつ支持壁２０の外側を覆うようにして設けられている。
【００１４】
この実施例において、図２に示すように、支持壁２０の両端部には、可動カバー体３０に対応するカバー案内溝２１が形成され、可動カバー体３０の幅方向両端部には、カバー案内溝２１に沿ってスライド可能に挿入されるたスライド体３１が配設されている。
そして、カバー案内溝２１とスライド体３１によって、支持壁２０に対し可動カバー体３０が移動可能に装着されるようになっている。なお、支持壁２０の外側方下部には、可動カバー体３０の移動を許容する空間部を隔てて下カバー体３５が必要に応じて固定されている。
【００１５】
図２、図３及び図１７に示すように、引出部材としてのテーブル板４１は、可動支持脚５０、テーブルベース４３及びテーブルステー６０を備えたテーブル支持機構４２によって支持されかつ案内レール７１と摺動体７２とを備えた案内機構７０によって収納空間１１に出入可能に収納されている。
すなわち、この実施例において、案内機構７０の案内レール７１は、収納空間１１の一側壁をなすケース本体１２の内壁部１３の幅方向中央部に設けられた突部１３ａに沿って上下方向に延びて設けられる一方、案内レール７１に沿って移動可能に組み付けられる摺動体７２は可動支持脚５０の下部に固定されている。
そして、可動支持脚５０は、ケース本体１２の内壁部１３に案内レール７１と摺動体７２によってに移動可能に支持されている。この可動支持脚５０の上端部には、連結軸５１によってテーブルベース４３がその一端部において回動可能に連結されている。
【００１６】
テーブルベース４３の一側面（図１７に示す使用状態では上面）にはテーブル板４１が取り付けられている。そして、テーブル板４１は、そのテーブルベース４３と共に、可動支持脚５０の一側面に沿って延びる出入姿勢から略水平状をなす使用位置まで連結軸５１を支点として回動されるようになっている。
また、可動支持脚５０とテーブルベース４３との間には、一端部がテーブルベース４３にピン６１によって連結され、他端部がピン６２と長孔６３によって可動支持脚５０に連結されたテーブルステー６０が装着されている。そして、テーブル板４１が略水平状をなす使用位置に配置されたときには、可動支持脚５０とテーブルベース４３との間でテーブルステー６０が斜めの状態をなしてテーブル板４１を略水平状をなす使用位置に支持するようになっている。
【００１７】
また、この実施例において、図３に示すように、収納ケース体１０のケース本体１２の上端部に装着された物品組付体１５には、テーブル板４１を収納位置に係脱可能に保持するための係止部材２５が進退可能に配置されている。
この実施例において、係止部材２５は、テーブル板４１のテーブルベース４３の所定位置に設けられた係合部４８に係脱可能に係合する係止部２６と、この係止部２６がテーブルベース４３の係合部４８から外れる後退方向に手動操作するための操作部２７とを備えている。そして、係止部材２５は、常にはばね２８によって係止部２６がテーブルベース４３の係合部４８に係合する前進方向に付勢されている。
なお、係止部材２５の係止部２６の先端部上面とテーブルベース４３の係止部４８の下面には、相互に接触して係止部材２５をばね２８の付勢力に抗して後退させる傾斜状の案内面２６ａ、４８ａがそれぞれ形成されている。
【００１８】
図３に示すように、収納ケース体１０の支持壁２０には、テーブル板４１を可動支持脚５０と共に所定の引出位置まで押し出す押出機構８０が設けられている。
押出機構８０は、可動支持脚５０の下端部５２を接離可能に受ける受け部８２を下端部に有する四角板状の押出体８１と、この押出体８１を押出方向に付勢する付勢手段とを備えている。
【００１９】
図２に示すように、支持壁２０の両端部には、押出体８１に対応する押出体案内溝２２が形成され、押出体８１の幅方向両端部には、押出体案内溝２２に沿ってスライド可能に挿入されるスライド体８３が配設されている。
そして、押出体案内溝２２とスライド体８３によって、支持壁２０に対し押出体８１が移動可能に装着されるようになっている。
また、付勢手段としては、回転トルクが一定のコンストンスプリング８６が用いられている。すなわち、図３に示すように、支持壁２０の上部に固定されたスプリングケース８７内は帯板状のコンストンスプリング８６が引出可能に巻回され、そのコンストンスプリング８６の先端部に押出体８１が連結されている。
そして、係止部材２５がその操作部２７によってばね２８の付勢力に抗して後退され、係止部材２５の係止部２６がテーブルベース４３の係合部４８から外されることで、押出体８１がコンストンスプリング８６の付勢力によって上昇され、これによって、図７と図８に示すように、可動支持脚５０と共にテーブル板４１が収納位置と引出端位置との中間に位置する中間引出位置まで押し出されるようになっている。
【００２０】
また、この実施例において、図３に示すように、テーブル板４１、テーブルベース４３及び可動支持脚５０は、これらの荷重に対応する付勢力を持ち、かつ回転トルクが一定のコンストンスプリングによって構成されたテーブルバランス支持機構９０によって支持されている。すなわち、この実施例において、テーブルバランス支持機構９０はコンストンスプリングによって構成されている。このコンストンスプリングのスプリングケース９１はケース本体１２の下部内面に固定され、そのスプリングケース９１から引出可能に巻回された連結ワイヤ９３がケース本体１２の内壁部１３の上部に配設されたローラ９４に掛け渡され、その連結ワイヤ９３の先端部９３ａが可動支持脚５０の下部５０ａに連結されている（図７参照）。
そして、スプリングケース９１内に巻回されて収納されたコンストンスプリング（図示しない）によって連結ワイヤ９３が巻き取り方向に付勢されることで、テーブル板４１、テーブルベース４３及び可動支持脚５０の荷重がバランスされて支えられるようになっている。
【００２１】
図２〜図６に示すように、テーブル板４１と可動カバー体３０との間には、テーブル板４１が引き出されたときに可動カバー体３０をテーブル板４１の引出方向とは逆方向に移動させて可動カバー体３０の先端高さを低くし、テーブル板４１が元の収納位置に押し込まれたときに可動カバー体３０をテーブル板４１の押込方向とは逆方向に移動させて可動カバー体３０を元の高さに戻す連動機構１００が設けられている。
この実施例において、連動機構１００は、押出体８１と、可動カバー体３０との間に配設された作動ラック１０１、ピニオン軸１０３、第１のピニオン１０４、第２のピニオン１０５及び従動ラック１０６を備えて構成されている。
【００２２】
すなわち、図２と図６に示すように、支持壁２０の中間高さ位置には、水平方向のピニオン軸１０３が軸受け１０２によって回転可能に取り付けられており、このピニオン軸１０３の中央部には、第１のピニオン１０４がトルク伝達可能に設けられ、同ピニオン軸１０３の両端部には第２のピニオン１０５がトルク伝達可能に設けられている。そして、図４と図６に示すように、押出体８１の一側面の上下方向には、第１のピニオン１０４に噛み合う作動ラック１０１が設けられる一方、可動カバー体３０の内面の幅方向両側部には、第２のピニオン１０５に噛み合う従動ラック１０６が設けられている。
また、この実施例において、テーブル板４１の引出量、すなわち、押出体８１の押出量に対する可動カバー体３０の逆方向の移動量が例えば２倍となるように、第１のピニオン１０４と第２のピニオン１０５との歯車比が１：２に設定されている。また、第１のピニオン１０４と第２のピニオン１０５との歯車比は適宜好適な数値により設定可能である。
【００２３】
図８と図９に示すように、可動支持脚５０とテーブル板４１との間には、テーブル板４１を出入姿勢に係脱可能にロックする姿勢ロック機構１１０が配設されている。
この実施例において、図８に示すように、姿勢ロック機構１１０は、姿勢ロック部材１１１と付勢手段１１６としての弾性体（ばね）１１７とを備えて構成されている。姿勢ロック部材１１１は、左右方向（図８に向かって上下方向）に長尺に形成され、可動支持脚５０の下部にロック並びにロック解除方向（左右方向）へ移動可能に組み付けられている。
姿勢ロック部材１１１の長手方向の一端部と可動支持脚５０との間に弾性体１１７が組み付けられている。
また、姿勢ロック部材１１１の長手方向の中央部には、可動支持脚５０の一側面から突出してテーブル板４１の係合部１１３に係脱可能に係合する断面鉤形状のロック部１１２が形成されている。さらに、姿勢ロック部材１１１の長手方向の他端部には後述するロック解除用連動機構１４０の連動ピン１４１の連動部１４２に係脱可能に係合する従動部１１４が形成され、この従動部１１４の先端部には、傾斜状の従動面１１５が形成されている。
【００２４】
図７〜図９に示すように、収納ケース体１０の上部に装着された物品組付体１５と可動支持脚５０の下部との間には、テーブル板４１と共に可動支持脚５０が引出端位置まで引き出されたときに、可動支持脚５０を引出端位置に位置決めしてロックする引出端ロック機構１２０が配設されている。
この実施例において、引出端ロック機構１２０は、引出端ロックピン１２１、付勢手段１２５としての弾性体（ばね）１２６、引出端位置決めピン１３０、及び付勢手段１３２としての弾性体１３３を備えて構成され、これら各構成部材は、収納ケース体１０の上部の収納空間１１の出入口近傍に固定状態で取り付けらた部品組付体１５に組み付けられている。
すなわち、図９に示すように、部品組付体１５の左右部のうちの一方（姿勢ロック部材１１１の従動部１１４に対応する側）に設けられたピン組付部には、弾性体１２６によってロック方向（前進方向）に付勢された状態で引出端ロックピン１２１が進退可能に組み付けられている。また、部品組付体１５の左右部のうちの他方に設けられたピン組付部には、弾性体１３３によってロック方向（前進方向）に付勢された状態で引出端位置決めピン１３０が進退可能に組み付けられている。
一方、図７〜図９に示すように、可動支持脚５０の下部には、テーブル板４１と共に可動支持脚５０が引出端位置まで引き出されたときに、引出端ロックピン１２１が嵌挿可能なロック孔１２２と、引出端位置決めピン１３０が嵌挿可能な位置決め凹部１３１とがそれぞれ形成されている。
【００２５】
また、図１０と図１１に示すように、可動支持脚５０の下部には、位置決め凹部１３１の開口部外側上部に位置し、かつ引出端位置決めピン１３０を、一旦、弾性体１３３の付勢力に抗して後退させて位置決め凹部１３１に導く外側傾斜面１３１ａが形成されている。
また、図１２と図１３に示すように、可動支持脚５０の下部には、ロック孔１２２の開口部外側上部に位置し、かつ引出端ロックピン１２１を、一旦、弾性体１２６の付勢力に抗して後退させてロック孔１２２に導く外側傾斜面１２２ａが形成されている。
また、この実施例において、引出端ロックピン１２１は、図１３と図１４に示すように、テーブル板４１が出入姿勢にあるときにロック孔１２２に浅く嵌合する仮止め位置と、図１５と図１６に示すように、テーブル板４１が連結軸５１を支点として使用位置に向けて所定角度回動したときにロック孔１２２に深く嵌合するロック位置との二段階に前進されるように構成されている。
そして、図１３に示すように、ロック孔１２２に対し引出端ロックピン１２１が仮止め位置に嵌合した状態において、可動支持脚５０の押し下げ方向に所定値以上の荷重が作用したときにはロック孔１２２から引出端ロックピン１２１が抜け出るように、ロック孔１２２の開口部内側上部には、引出端ロックピン１２１を弾性体１２６の付勢力に抗して後退させてロック孔１２２の外側に導く内側傾斜面１２２ｂが形成されている。
【００２６】
図８と図９に示すように、姿勢ロック機構１１０と引出端ロック機構１２０との間には、この引出端ロック機構１２０のロック動作に連動して姿勢ロック機構１１０をロック解除するロック解除用連動機構１４０が設けられている。
この実施例において、姿勢ロック部材１１１と、引出端ロックピン１２１との間に、ロック解除用連動機構１４０が設けられている。このロック解除用連動機構１４０は、テーブル板４１と共に可動支持脚５０が引出端位置まで引き出されて引出端ロックピン１２１がロック孔１２２に嵌挿される動作によって姿勢ロック部材１１１をロック解除方向に移動させるようになっている。
【００２７】
この実施例において、ロック解除用連動機構１４０はロック孔１２２に貫通状態で嵌挿された連動ピン１４１によって構成されている。
この連動ピン１４１は、その一端面がロック孔１２２の開口縁に臨んでいる。そして、連動ピン１４１の他端部外周面には、姿勢ロック部材１１１の従動部１１４が係脱可能に嵌挿されるＶ溝状の連動部１４２が形成され、その連動部１４２の溝壁面には連動ピン１４１の前進動作によって姿勢ロック部材１１１の従動部１１４に形成された従動面１１５を押圧しながら同姿勢ロック部材１１１をロック解除方向に連動（移動）させる傾斜状の連動面１４３が形成されている。
すなわち、図１３と図１４に示すように、テーブル板４１と共に可動支持脚５０が引出端位置まで引き出されて引出端ロックピン１２１がロック孔１２２に嵌挿されて仮止め位置に配置されたときには、そのロック孔１２２に対する引出端ロックピン１２１の嵌合量に相当する分だけ連動ピン１４１が前進され、この連動ピン１４１の前進動作によって、連動部１４２と従動部１１４とを介して姿勢ロック部材１１１をロック解除する位置まで移動させるようになっている。この際、連動ピン１４１の前端面はテーブル板４１の背面に当接し、これ以上の前進が阻止されるようになっている。
【００２８】
図１５と図１６に示すように、引出端位置まで引き出されたテーブル板４１が連結軸５１を支点として使用位置に向けて所定角度回動されることで、引出端ロックピン１２１が連動ピン１４１を押し出しながらロック孔１２２に深く嵌挿されるロック位置に配置されるようになっている。
【００２９】
この実施例に係る車両用引出装置としての車両用テーブル装置は、上述したように構成される。
したがって、引出部材としてのテーブル板４１を引き出す場合、係止部材２５がその操作部２７によってばね２８の付勢力に抗して後退され、係止部材２５の係止部２６がテーブルベース４３の係合部４８から外される。
すると、押出体８１がコンストンスプリング８６の付勢力によって上昇され、この押出体８１の受け部８２によって可動支持脚５０の下端部が押し上げられる。これによって、可動支持脚５０と共にテーブル板４１が中間引出位置まで押し出される。
ここで、テーブル板４１がその一端縁に形成された取手部４１ａにおいて引出端位置まで引き出される。
また、テーブル板４１は、可動支持脚５０と共に収納位置から引出端位置まで引き出される間においては、可動支持脚５０に姿勢ロック機構１１０によって出入姿勢にロックされている。
【００３０】
テーブル板４１と共に可動支持脚５０が引出端位置まで引き出される直前において、図１０に示すように、位置決めピン１３０が位置決め凹部１３１の外側傾斜面１３１ａに接して滑走することで、一旦、弾性体１３３の付勢力に抗して後退される。
また、図１２に示すように、引出端ロックピン１２１がロック孔１２２の外側傾斜面１２２ａに接して滑走することで、一旦、弾性体１３３の付勢力に抗して後退される。
そして、テーブル板４１と共に可動支持脚５０が引出端位置まで引き出されると、図１１に示すように、位置決めピン１３０が弾性体１３３の付勢力によって位置決め凹部１３１に嵌挿され、図１３に示すように、引出端ロックピン１２１が弾性体１２６の付勢力によって、連動ピン１４１を前進させながらロック孔１２２に嵌挿されて浅く嵌合する仮止め位置に配置される。
そして、位置決めピン１３０と位置決め凹部１３１、及び引出端ロックピン１２１とロック孔１２２の各係合力によってテーブル板４１と共に可動支持脚５０が引出端位置にロックされる。
【００３１】
一方、引出端ロックピン１２１の前進動作によって連動ピン１４１が押圧されて前進されると、図９と図１４に示すように、連動ピン１４１の連動部１４２の連動面１４３に接して姿勢ロック部材１１１の従動部１１４の従動面１１５が押されながら姿勢ロック部材１１１がロック解除方向に移動され、これによって、姿勢ロック部材１１１のロック部１１２がテーブル板４１の係合部１１３から外れてロック解除される。
【００３２】
ここで、可動支持脚５０に対しテーブルベース４３と共にテーブル板４１が連結軸５１を支点として略水平状をなす使用位置に向けて回動される。
テーブル板４１が使用位置に向けて所定角度回動されると、図１５と図１６に示すように、引出端ロックピン１２１が弾性体１２６の付勢力によって連動ピン１４１を押し出しながら、その外周面に突設されたストッパ片１２１ａが物品組付体１５のピン組付部の一部１５ａに係合する前進端位置まで前進される。これによって、引出端ロックピン１２１がロック孔１２２に深く嵌合するロック位置に配置される。
【００３３】
その後、図１７に示すように、テーブル板４１が略水平状をなす使用位置に配置される。この際、可動支持脚５０とテーブルベース４３との間でテーブルステー６０が斜めの状態をなし、これによってテーブル板４１が略水平状をなす使用位置に配置保持される。
そして、テーブル板４１の上面には所望とする物品が載置される。
また、前記とは逆の手順でテーブル板４１が操作され、収納空間１１に押し込まれて収納位置に配置されることで、係止部材２５の係止部２６がテーブルベース４３の係合部４８に係合し、これによってテーブル板４１、テーブルベース４３及び可動支持脚５０が元の収納位置に配置保持される。
【００３４】
前記したようにして、テーブル板４１と共に可動支持脚５０が引出端位置に配置されることで、引出端ロック機構１２０の引出端ロックピン１２１が弾性体１２６の付勢力によって前進されロック孔１２２に嵌挿される。そして、引出端ロックピン１２１の前進動作に基づいてロック解除用連動機構１４０の連動ピン１４１が押し出され（作動され）、これによって、姿勢ロック機構１１０の姿勢ロック部材１１１がロック解除方向に移動されロック解除される。
このため、テーブル板４１を使用位置に向けて回動操作する前に、姿勢ロック機構１１０のロック解除を手動操作によって行う手間を省くことができ、使い勝手の向上を図ることができる。
【００３５】
また、この実施例において、図１３と図１４に示すように、テーブル板４１と共に可動支持脚５０が引出端位置まで引き出されて引出端ロックピン１２１がロック孔１２２に浅く嵌合する仮止め位置に配置される際、引出端ロックピン１２１が連動ピン１４１の一端面に当接した状態で、引出端ロックピン１２１と共に連動ピン１４１が前進される動作によって姿勢ロック部材１１１をロック解除方向に移動させると共に、連動ピン１４１の先端面がテーブル板４１の一側面に当接する。
その後、テーブル板４１が使用位置に向けて回動されることで、連動ピン１４１を押し出しながら引出端ロックピン１２１がロック孔１２２に深く嵌挿されるロック位置に配置される。
このため、引出端ロックピン１２１とロック孔１２２との係合力が増大され、これによって、可動支持脚５０が引出端位置に強固にロックされる。ひいては、可動支持脚５０が不測に押し込まれることを防止することができ、使用位置に配置されたテーブル板４１を可動支持脚５０によって安定よく支持することができる。
また、テーブル板４１、テーブルベース４３及び可動支持脚５０の荷重を、ロック位置に配置された引出端ロックピン１２１とロック孔１２２との嵌合部、及び引出端位置決めピン１３０と位置決め凹部１３１との嵌合部において良好に受けることができるため、可動支持脚５０が不測に押し込まれる不具合を防止することができ、使用位置に配置されたテーブル板４１の上面に所望とする物品（例えば、カップ、食器等の容器や筆記具等）を安定良く載置することができる。
【００３６】
なお、この発明は前記実施例に限定するものではない。
例えば、前記実施例においては、引出端ロック機構１２０が、引出端ロックピン１２１、付勢手段１２５としての弾性体（ばね）１２６、引出端位置決めピン１３０、及び付勢手段１３２としての弾性体１３３を備えて構成される場合を例示したが、引出端位置決めピン１３０及び弾性体１３３がない構造であってもこの発明を実施することができる。
また、前記実施例においては、引出部材がテーブル板４１である場合を例示したが、引出部材がカップホルダ装置のホルダ部材であっても実施可能であり、また、引出部材がカーナビゲーション装置の表示器（例えば液晶パネル）であっても実施可能である。
また、前記実施例においては、可動カバー体３０がテーブル板４１の出し入れ方向と反対方向に移動可能に装着され、この可動カバー体３０の先端高さが変化されるように構成されたが、可動カバー体３０がない構造であってもこの発明を実施することができる。
また、前記実施例においては、引出部材がテーブル板４１である場合を例示したが、引出部材がカップホルダ装置のホルダ部材であっても実施可能であり、また、引出部材がカーナビゲーション装置の表示器（例えば液晶パネル）であっても実施可能である。
【図面の簡単な説明】
【００３７】
【図１】この発明の実施例１の車両用引出装置としての車両用テーブル装置のテーブル板が収納された状態を示す斜視図である。
【図２】同じく車両用テーブル装置の平断面図である。
【図３】同じく図２のＩＩＩ−ＩＩＩ線に基づく車両用テーブル装置の側断面図である。
【図４】同じく図２のＩＶ−ＩＶ線に基づく車両用テーブル装置の側断面図である。
【図５】同じく図２のＶ−Ｖ線に基づく車両用テーブル装置の側断面図である。
【図６】同じく可動カバー体の連動機構を分解して示す斜視図である。
【図７】同じく収納ケース体のケース本体と可動支持脚及びテーブルベースによって支持されたテーブル板の関係を分離して示す斜視図である。
【図８】同じく可動支持脚にテーブル板が姿勢ロック機構によって出入姿勢にロックされた状態を示す平断面図である。
【図９】同じくテーブル板の可動支持脚が引出端位置に位置決めされてロックされた状態を示す平断面図である。
【図１０】同じくテーブル板の可動支持脚が引出端位置の直前まで引き出されたときの引出端位置決めピンと位置決め孔との関係を示す側断面図である。
【図１１】同じくテーブル板の可動支持脚が引出端位置まで引き出されたときの引出端位置決めピンと位置決め孔との嵌合状態を示す側断面図である。
【図１２】同じくテーブル板の可動支持脚が引出端位置の直前まで引き出されたときの引出端ロックピンとロック孔との関係を示す側断面図である。
【図１３】同じくテーブル板の可動支持脚が引出端位置まで引き出されたときの引出端ロックピンとロック孔との嵌合状態を示す側断面図である。
【図１４】同じく引出端ロックピンの前進動作によって連動ピンが押し出されて姿勢ロック部材がロック解除された状態を示す図１３のＸＩＶ−ＸＩＶ線に基づく平断面図である。
【図１５】同じく引出端位置のテーブル板が使用位置に向けて所定角度だけ回動された状態を示す側断面図である。
【図１６】同じく引出端位置のテーブル板が使用位置に向けて所定角度だけ回動されたときの姿勢ロック部材、連動ピン及び引出端ロックピンの関係を示す図１５のＸＶＩ−ＸＶＩ線に基づく平断面である。
【図１７】同じくテーブル板が使用位置に配置された状態を示す側断面図である。
【符号の説明】
【００３８】
１０  収納ケース体
１１  収納空間
３０  可動カバー体
４１  テーブル板（引出部材）
１１０  姿勢ロック機構
１１１  姿勢ロック部材
１１６  付勢手段
１１７  弾性体
１２０  引出端ロック機構
１２１  引出端ロックピン
１２２  ロック孔
１４０  ロック解除用連動機構
１４１  連動ピン
【図１】
2007176243.tif 000003
【図２】
2007176243.tif 000004
【図３】
2007176243.tif 000005
【図４】
2007176243.tif 000006
【図５】
2007176243.tif 000007
【図６】
2007176243.tif 000008
【図７】
2007176243.tif 000009
【図８】
2007176243.tif 000010
【図９】
2007176243.tif 000011
【図１０】
2007176243.tif 000012
【図１１】
2007176243.tif 000013
【図１２】
2007176243.tif 000014
【図１３】
2007176243.tif 000015
【図１４】
2007176243.tif 000016
【図１５】
2007176243.tif 000017
【図１６】
2007176243.tif 000018
【図１７】
2007176243.tif 000019